(57)【要約】  【課題】ディスクチェンジャ内のディスク枚数の確認や、ディスク選択の操作を直感的に行い得るディスク再生装置を提供することである。  【解決手段】前記ディスクチェンジャ１０６のディスク２００が収容されたトレイ１０８を特定するトレイ特定情報とそのトレイに収容されたディスクを表すディスク情報とを対応付けて管理する管理手段１０４と、トレイ特定情報に対応付けて管理手段１０４にて管理されるディスク情報に基づいた表示項目を所定の順序に並べて表示ユニット１２６に表示させる表示制御手段１０２と、表示ユニット１２６に表示される表示項目が所定の操作により指定された場合に、指定された前記表示項目の基となるディスク情報に対応付けて管理手段１０４にて管理されるトレイ特定情報にて特定されるトレイに収容されたディスクに対する処理を行なうディスク処理手段１０２とを有する構成となる。【選択図】  図１
2006085874.tif 000002
【特許請求の範囲】
【請求項１】
ディスクを収容する複数のトレイを有し、選択されたトレイに収容されたディスクを再生するディスクチェンジャを備えたディスク再生装置であって、
前記ディスクチェンジャのディスクが収容されたトレイを特定するトレイ特定情報とそのトレイに収容されたディスクを表すディスク情報とを対応付けて管理する管理手段と、  前記トレイ特定情報に対応付けて前記管理手段にて管理されるディスク情報に基づいた表示項目を所定の順序に並べて表示ユニットに表示させる表示制御手段と、
前記表示ユニットに表示される表示項目が所定の操作により指定された場合に、指定された前記表示項目の基となるディスク情報に対応付けて前記管理手段にて管理されるトレイ特定情報にて特定されるトレイに収容されたディスクに対する処理を行なうディスク処理手段とを有することを特徴とするディスク再生装置。
【請求項２】
前記管理手段は、更に、前記ディスク情報に対応付けて当該ディスク情報にて表されるディスクの前記ディスクチェンジャへの収容順序を管理し、
前記表示制御手段は、前記表示項目をその表示項目の基となるディスク情報に対応付けて前記管理手段にて管理される収容順序に応じて決められた順序に並べて前記表示ユニットに表示させることを特徴とする請求項１記載のディスク再生装置。
【請求項３】
前記管理手段は、更に、前記ディスク情報に対応付けて当該ディスク情報にて表されるディスクの再生回数を管理し、
前記表示制御手段は、前記表示項目をその表示項目の基となるディスク情報に対応付けて前記管理手段にて管理される再生回数に応じて決められた順序に並べて前記表示ユニットに表示させることを特徴とする請求項１記載のディスク再生装置。
【請求項４】
前記表示制御手段は、前記表示項目を所定の操作により指定される順序に並べて前記表示ユニットに表示させることを特徴とする請求項１記載のディスク再生装置。
【請求項５】
前記表示制御手段は、前記管理手段にてディスク情報に対応付けて管理されるトレイ特定情報にて特定されるトレイ以外の空トレイの個数を表す空トレイ項目を前記表示ユニットに表示させることを特徴とする請求項１乃至４のいずれかに記載のディスク再生装置。
【請求項６】
前記ディスク処理手段は、前記ディスク処理として前記トレイに収容されたディスクに対する再生処理を行なう再生処理手段を有することを特徴とする請求項１乃至５のいずれかに記載のディスク再生装置。
【請求項７】
前記ディスク処理手段は、前記ディスク処理として前記トレイに収容されたディスクに対する排出処理を行なう排出処理手段を有することを特徴とする請求項１乃至６のいずれかに記載のディスク再生装置。
【請求項８】
ディスクの収容に係る操作がなされた場合に、前記管理手段にてディスク情報に対応付けて管理されるトレイ特定情報にて特定されるトレイ以外の空トレイが前記ディスクチェンジャに存在するか否かを判定する空トレイ判定手段と、
前記空トレイ判定手段にて空トレイが前記ディスクチェンジャに存在するとの判定がなされたときに、前記空トレイのうちディスクチェンジャの挿入口に最も近い空トレイをディスクを収容すべきトレイとして決定するローディングトレイ決定手段と、
前記ローディングトレイ決定手段にて決定されたトレイに前記ディスクを収容するディスク収容処理手段とを有することを特徴とする請求項１乃至７のいずれかに記載のディスク再生装置。
【請求項９】
前記空トレイ判定手段にて前記ディスクチェンジャに空トレイが存在しないとの判定がなされたときに、
前記ローディングトレイ決定手段は、所定の規則に従って前記ディスクチェンジャにおける複数のトレイのうちから一のトレイをディスクを収容すべきトレイとして決定し、
前記ディスク収容処理手段により前記ローディングトレイ決定手段にて決定されたトレイにディスクが収容される前に、当該トレイに収容されたディスクに対する排出処理を行なう手段を有することを特徴とする請求項８記載のディスク再生装置。
【請求項１０】
前記ディスク処理手段は、前記ディスク処理として前記トレイに収容されたディスクに対する排出処理を行なう排出処理手段を有し、
ディスクの収容に係る操作がなされた場合に該ディスクをディスクチェンジャにおける複数のディスクのいずれかに前記ディスクを収容する収容処理手段を有し、
一のトレイからディスクの排出がなされた直後に他のディスクの収容が連続したなされた場合に、前記表示制御手段は、前記排出されたディスクを表すディスク情報に基づいた表示項目の表示位置に、前記収容された前記他のディスクを表すディスク情報に基づいた表示項目を表示させるようにしたことを特徴とする請求項１記載のディスク再生装置。
【発明の詳細な説明】
【技術分野】
【０００１】
本発明は、ディスクを収容する複数のトレイを有し、選択されたトレイに収容されたディスクを再生するディスクチェンジャを備えたディスク再生装置に関する。
【背景技術】
【０００２】
従来、複数のＣＤ（コンパクトディスク）やＤＶＤ（デジタルバーサタイルディスク）等のディスクをそれぞれトレイに収容し、これらディスクの選択的な再生が可能となるディスクチェンジャを備えたディスク再生装置が提供されている（例えば、特許文献１乃至３参照）。このようなディスク再生装置は、ディスクチェンジャに複数のディスクを収納しておけば、利用者がいちいちディスクの交換操作を行なうことなくその複数のディスクの再生を行なうことができ、特に、操作の簡略化が要求される車載用のディスク再生装置等として広く採用されている。
【０００３】
この従来のディスク装置では、一般にディスクチェンジャのトレイの配列順番に従ってディスクが収容されているトレイとディスクが収容されていないトレイとが区別されるような表示がなされる。そして、利用者は、その表示を見て、ディスクチェンジャに収容されているディスクの枚数を把握することができ、また、ディスクの収容されたトレイの指定操作を行なうことによって、そのディスクの再生、取出しを行なうことができる。更に、利用者は、前記表示を見て、空トレイの指定操作を行なうことによって、その空トレイへのディスクの収納を行なうことができる。
【特許文献１】特開平９−１２８９４４号公報
【特許文献２】特開２００３−６８０５９号公報
【特許文献３】特開２００３−１３１８０９号公報
【発明の開示】
【発明が解決しようとする課題】
【０００４】
しかし、上述した従来のディスク再生装置では、ディスクチェンジャのトレイの配列順序に従ってディスクが収容されているトレイとディスクが収容されていないトレイとが区別されるような表示がなされるので、全てのトレイの中からディスクの収容されたディスクを確認することでディスクチェンジャに収容されたディスクの枚数を把握しなければならず、直感的にそのディスクの枚数を把握することが難しい。また、処理（再生、取出し）すべきディスクを選択するためには、全てのトレイの中からディスクの収容されたトレイの選択を行なうこととなり、その選択操作は利用者にとって直感的なものではない。
【０００５】
本発明は、このような問題を解決するためになされたもので、ディスクチェンジャ内のディスク枚数の確認や、ディスク選択の操作を直感的に行い得るディスク再生装置を提供するものである。
【課題を解決するための手段】
【０００６】
本発明に係るディスク再生装置は、ディスクを収容する複数のトレイを有し、選択されたトレイに収容されたディスクを再生するディスクチェンジャを備えたディスク再生装置であって、前記ディスクチェンジャのディスクが収容されたトレイを特定するトレイ特定情報とそのトレイに収容されたディスクを表すディスク情報とを対応付けて管理する管理手段と、前記トレイ特定情報に対応付けて前記管理手段にて管理されるディスク情報に基づいた表示項目を所定の順序に並べて表示ユニットに表示させる表示制御手段と、前記表示ユニットに表示される表示項目が所定の操作により指定された場合に、指定された前記表示項目の基となるディスク情報に対応付けて前記管理手段にて管理されるトレイ特定情報にて特定されるトレイに収容されたディスクに対する処理を行なうディスク処理手段とを有する構成となる。
【０００７】
このような構成により、ディスクがディスクチェンジャのどのトレイに収容されているかに関らず、当該ディスクチェンジャに収容されたディスクのそれぞれに対応した表示項目が所定の順番に並べて表示ユニットに表示される。そして、表示ユニットに表示された表示項目が所定の操作により指定されると、その表示項目に対応するトレイに収容されたディスクに対する処理がなされる。
【０００８】
前記ディスクを表すディスク情報は、ディスクに対応付けられる情報であれば特に限定されず、単なる識別番号であっても、ディスクの内容をある程度特定する情報であってもよい。また、表示項目もそのディスク情報に基づいて生成されるものであれば、絵柄、写真、図形、文字、符号、記号、番号等、任意のものを用いることができる。
【０００９】
また、本発明に係るディスク再生装置は、前記管理手段が、更に、前記ディスク情報に対応付けて当該ディスク情報にて表されるディスクの前記ディスクチェンジャへの収容順序を管理し、前記表示制御手段は、前記表示項目をその表示項目の基となるディスク情報に対応付けて前記管理手段にて管理される収容順序に応じて決められた順序に並べて前記表示ユニットに表示させる構成とすることができる。
【００１０】
このような構成により、ディスクチェンジャに収容された順序に従って各ディスクに対応した表示項目が表示ユニットに表示されるようになる。従って、利用者は、表示ユニットに表示された表示項目の並び順から各表示項目に対応するディスクのディスクチェンジャに収容された順序を把握することができる。
【００１１】
前記収容順序の管理は、結果として収容順序が管理されるものであればよく、ディスクの収容順序そのもの管理であっても、収容順序を間接的に表す収容時期等の情報を管理するものであってもよい。
【００１２】
更に、本発明に係るディスク再生装置は、前記管理手段が、更に、前記ディスク情報に対応付けて当該ディスク情報にて表されるディスクの再生回数を管理し、前記表示制御手段は、前記表示項目をその表示項目の基となるディスク情報に対応付けて前記管理手段にて管理される再生回数に応じて決められた順序に並べて前記表示ユニットに表示させる構成とすることができる。
【００１３】
このような構成により、再生回数に応じた順序に従って各ディスクに対応した表示項目が表示ユニットに表示されるようになる。従って、利用者は、表示ユニットに表示された表示項目の並び順から各表示項目に対応するディスクが再生された回数の順序を把握することができる。
【００１４】
また、本発明に係るディスク再生装置は、前記表示制御手段が、前記表示項目を所定の操作により指定される順序に並べて前記表示ユニットに表示させる構成とすることができる。
【００１５】
このような構成により、ディスクチェンジャに収容されたディスクに対応した表示項目を利用者の指定しやすい順序に従って表示ユニットに表示させることができるようになる。
【００１６】
更に、本発明に係るディスク再生装置は、前記表示制御手段が、前記管理手段にてディスク情報に対応付けて管理されるトレイ特定情報にて特定されるトレイ以外の空トレイの個数を表す空トレイ項目を前記表示ユニットに表示させる構成とすることができる。
【００１７】
このような構成により、利用者は、表示ユニットに表示される空トレイ項目に基づいてディスクチェンジャに更に収容可能なディスクの枚数を把握することができる。
【００１８】
また、本発明に係るディスク再生装置は、前記ディスク処理手段が、前記ディスク処理として前記トレイに収容されたディスクに対する再生処理を行なう再生処理手段を有する構成とすることができる。
【００１９】
このような構成により、利用者が表示ユニットに表示される表示項目を所定の操作にて指定すると、その表示項目に対応したディスク（当該表示項目の基となるディスク情報にて表されるディスク）が再生されるようになる。
【００２０】
更に、本発明に係るディスク再生装置は、前記ディスク処理手段が、前記ディスク処理として前記トレイに収容されたディスクに対する排出処理を行なう排出処理手段を有する構成とすることができる。
【００２１】
このような構成により、利用者が表示ユニットに表示される表示項目を所定の操作にて指定すると、その表示項目に対応したディスクがディスクチェンジャから排出されるようになる。
【００２２】
本発明に係るディスク再生装置は、ディスクの収容に係る操作がなされた場合に、前記管理手段にてディスク情報に対応付けて管理されるトレイ特定情報にて特定されるトレイ以外の空トレイが前記ディスクチェンジャに存在するか否かを判定する空トレイ判定手段と、前記空トレイ判定手段にて空トレイが前記ディスクチェンジャに存在するとの判定がなされたときに、前記空トレイのうちディスクチェンジャの挿入口に最も近い空トレイをディスクを収容すべきトレイとして決定するローディングトレイ決定手段と、前記ローディングトレイ決定手段にて決定されたトレイに前記ディスクを収容するディスク収容処理手段とを有する構成とすることができる。
【００２３】
このような構成により、新たなディスクが、ディスクチェンジャの挿入口から最も近い空トレイに収容されることとなり、そのディスク収容にかかる処理時間をより短いものとすることができる。
【００２４】
また、本発明に係るディスク再生装置は、前記空トレイ判定手段にて前記ディスクチェンジャに空トレイが存在しないとの判定がなされたときに、前記ローディングトレイ決定手段が、所定の規則に従って前記ディスクチェンジャにおける複数のトレイのうちから一のトレイをディスクを収容すべきトレイとして決定し、前記ディスク収容処理手段により前記ローディングトレイ決定手段にて決定されたトレイにディスクが収容される前に、当該トレイに収容されたディスクに対する排出処理を行なう手段を有する構成とすることができる。
【００２５】
このような構成により、ディスクの収容に係る操作がなされたときに、ディスクチェンジャ内の全てのトレイにディスクが収容された状態であっても、いずれかのトレイに収容されたディスクに代えて新たなディスクをそのトレイに収容することができるようになる。
【００２６】
前記所定の規則は、ランダムな規則、再生回数に基づいた規則、あるいは、収容順序に基づいた規則等、任意に定めることができる。
【００２７】
更に、本発明に係るディスク再生装置は、前記ディスク処理手段が、前記ディスク処理として前記トレイに収容されたディスクに対する排出処理を行なう排出処理手段を有し、ディスクの収容に係る操作がなされた場合に該ディスクをディスクチェンジャにおける複数のディスクのいずれかに前記ディスクを収容する収容処理手段を有し、一のトレイからディスクの排出がなされた直後に他のディスクの収容が連続したなされた場合に、前記表示制御手段は、前記排出されたディスクを表すディスク情報に基づいた表示項目の表示位置に、前記収容された前記他のディスクを表すディスク情報に基づいた表示項目を表示させるように構成することができる。
【００２８】
このような構成により、利用者が表示ユニットに表示される表示項目を指定し、その指定された表示項目に対応したディスクが排出された後に、他のディスクの収容が連続してなされたときに、前記収容されたディスクに対応する表示項目が、前記排出されたディスクに対応した表示項目の位置に表示されるようになる。従って、利用者は、ディスクが交換されたことをより直感的に把握することができるようになる。
【発明の効果】
【００２９】
本発明に係るディスク再生装置によれば、ディスクチェンジャのトレイを意識することなく、表示ユニットに表示された表示項目の数から直感的にディスクチェンジャ内のディスクの枚数を確認することができ、また、その表示された表示項目を指定することにより、ディスク選択の操作を直感的に行い得る。
【発明を実施するための最良の形態】
【００３０】
以下、本発明に係る実施の形態について、図面を用いて説明する。
【００３１】
図１は、本発明の実施の形態にかかるディスク再生装置のブロック図である。同図に示すディスク再生装置１００は、複数のＣＤを収容して再生することが可能なＣＤプレイヤである。
【００３２】
このディスク再生装置１００は、制御部１０２、ディスクチェンジャ１０６、ディスクチェンジャ制御部１１０、光ピックアップ制御部１１４、デジタル信号処理部１１６、オーディオ信号処理部１１８、オーディオ回路１２０、スピーカ１２２、操作部１２４及び表示ユニット１２６を有する。ディスクチェンジャ１０６は、例えば、インダッシュタイプのディスクチェンジャであって、複数のトレイ１０８−１乃至１０８−６（以下、トレイ１０８−１乃至１０８−６をまとめて、適宜「トレイ１０８」と称する）を有し、その複数のトレイ１０８−１乃至１０８−６のいずれかのトレイに収容されたディスクに光ピックアップ１１２が位置付けられるようになっている。なお、図１に示す例では、複数のトレイ１０８−１乃至１０８−６のうち、トレイ１０８−２にディスク２００−１、トレイ１０８−３にディスク２００−２、トレイ１０８−６にディスク２００−３（以下、ディスク２００−１乃至２００−３をまとめて、適宜「ディスク２００」と称する）がそれぞれ収容されている。制御部１０２は、ディスク再生装置１００の全体を制御するものであって、内蔵するメモリ（図示せず）に、ディスク管理テーブル１０４を保持している。ディスク管理テーブル１０４は、トレイ１０８と、そのトレイ１０８に収容されているディスク２００との対応関係を管理している。
【００３３】
図２は、ディスク管理テーブル１０４の一例を示す図である。同図に示すディスク管理テーブル１０４は、各トレイ１０８を特定する「トレイ番号」と、トレイ１０８に収容されているディスク２００を表すディスク情報としての「ＴＯＣ（Table Of Contents）情報」、「ＣＤＤＢ識別情報」、及び曲名、アーティスト名、ジャンル、ジャケット写真の画像データ等からなる「ＴＡＧ情報」とを対応付けて管理する。また、ディスク管理テーブル１０４は、前述した構成のディスク情報に対応付けてディスク２００が収容された日付を表す「ロード日」及びディスク２００の「再生回数」を管理すると共に、光ピックアップ１１２が配置されて再生対象となっているディスク２００を収容したトレイ１０８を「再生トレイ」として管理する。図２に示すディスク管理テーブル１０４は、トレイ番号２にて特定されるトレイ１０８−２、トレイ番号３にて特定されるトレイ１０８−３及びトレイ番号６にて特定されるトレイ１０８−６のそれぞれにディスク２００が収容され、トレイ１０８−３に収容されたディスク２００−２が再生対象になっていることを表している。
【００３４】
制御部１０２は、ディスク管理テーブル１０４の各項目を設定及び更新する。具体的には、ＴＯＣ情報は、ディスク２００が挿入された時に当該ディスク２００から読み出されて設定される。ＣＤＤＢ識別情報及びＴＡＧ情報は、例えば、制御部１０２内に構成されるデータベースであるＣＤＤＢ（図示せず）、あるいは、通信ネットエアークを介してアクセス可能なＣＤＤＢにおいて、挿入されたディスク２００のＴＯＣ情報をキーとした検索によって抽出され、設定される。再生トレイ及び再生回数は、ディスク２００が再生される時に設定、更新される。ロード日は、ディスク２００が挿入された時に、例えば、制御部１０２内の時計（図示せず）の日付情報が設定される。
【００３５】
また、制御部１０２は、上述したディスク管理テーブル１０４にて管理されるトレイに収容されている各ディスク２００を表す前記ディスク情報（ＴＯＣ情報、ＣＤＤＢ識別情報、ＴＡＧ情報）に基づいた表示項目（以下、ディスクマークという）を所定の順序で表示ユニット１２６に表示するための表示用データを生成し、表示ユニット１２６へ出力する。表示部１２６は、この表示用データに基づく表示を行う。
【００３６】
また、利用者によって操作部１２４が操作された場合、制御部１０２は、操作部１２４から送られる操作信号に基づいて、利用者の要求を判別する。
【００３７】
利用者の要求が、ディスクチェンジャ１０６へのディスク２００の収容やディスクチェンジャ１０６からのディスク２００の排出を要求するものであった場合、制御部１０２は、ディスクチェンジャ制御部１１０へディスク２００の収容あるいは排出の指示を出す。ディスクチェンジャ制御部１１０は、この指示に従ってディスクチェンジャ１０６を制御する。ディスクチェンジャ１０６は、この制御に応じて、トレイ１０８を挿入口１０７まで移動させ、ディスク２００を挿入してトレイ１０８に収容したり、トレイ１０８に収容されているディスク２００を取り出して排出する動作を行う。
【００３８】
また、利用者の要求が、ディスク２００の再生を要求するものであった場合、制御部１０２は、ディスクチェンジャ制御部１１０へ光ピックアップ１１２を再生対象のディスク２００が収容されたトレイ１０８に移動させる指示を出す。ディスクチェンジャ制御部１１０は、この指示に従って、光ピックアップ１１２を再生対象のディスク２００が収容されたトレイ１０８に移動させる。更に、制御部１０２は、光ピックアップ制御部１１４へディスク２００の再生等の指示を出す。光ピックアップ制御部１１４は、この指示に従って光ピックアップ１１２を制御する。光ピックアップ１１２は、この制御に応じて、ディスク２００に記録された情報を読み出す等の動作を行う。
【００３９】
光ピックアップ１１２によってディスク２００から読み出された情報は、デジタル信号処理部１１６へ送られる。デジタル信号処理部１１６は、入力された情報に対し、誤り訂正の処理を施す。更に、デジタル信号処理部１１６は、誤り訂正後の情報をオーディオデータと、それ以外のＴＯＣ情報等の属性データとに分離し、オーディオデータについてはオーディオ信号処理部１１８に出力し、属性データについては制御部１０２へ出力する。
【００４０】
オーディオ信号処理部１１８は、入力されたオーディオデータに対して、解凍処理、ショックプルーフ処理等の種々の信号処理を施し、これら信号処理後のオーディオデータをオーディオ回路１２０へ出力する。オーディオ回路１２０は、入力されたオーディオデータをアナログ信号に変換するとともに、音量制御、音質制御等を行って、オーディオ音をスピーカ１２２から出力する。
【００４１】
一方、制御部１０２は、入力された前記属性データに基づいて、曲名、アーティスト名等の表示用データを生成して、表示ユニット１２６へ出力する。表示部１２６は、この表示用データに基づく表示を行う。
【００４２】
また、制御部１０２は、ディスクチェンジャ１０６にディスク２００が挿入されてトレイ１０８に収容される処理、トレイ１０８からディスク２００が取り出されてディスクチェンジャ１０６から排出される処理、更には、ディスク２００の再生処理に応じて、ディスク管理テーブル１０４の内容を更新する。
【００４３】
以下、ディスク管理テーブル１０４の内容に応じた表示、ディスク２００の再生、取り出し及び収容が行われる際の処理の詳細を説明する。
【００４４】
まず、ディスク管理テーブル１０４の内容に応じた表示処理の詳細を説明する。図３は、ディスク管理テーブル１０４の内容に応じた表示処理を示すフローチャートである。
【００４５】
制御部１０２は、保持するディスク管理テーブル１０４の内容を確認する（Ｓ１０１）。次に、制御部１０２は、ディスクチェンジャ１０６内の各ディスク２００に対応するディスクマーク（表示項目）の表示順を決定する（Ｓ１０２）。具体的には、制御部１０２は、利用者による操作部１２４の操作に応じた操作信号を受けて、利用者の要求を判別し、その利用者の要求が表示順（例えば、アーティスト名、あるいはアルバム名の５０音順）の設定を要求するものである場合には、その要求に応じてその表示順を決定することができる。あるいは、制御部１０２は、ディスク管理テーブル１０４における各ディスク２００のロード日を参照して、ロード日の古い順又は新しい順にディスクマークの表示順を決定することができる。または、制御部１０２は、ディスク管理テーブル１０４における各ディスク２００の再生回数を参照して、再生回数の多い順にディスクマークの表示順を決定することができる。
【００４６】
このようにして、ディスクチェンジャ１０６内に収容された各ディスク２００に対応するディスクマークの表示順が決定されると、次に、制御部１０２は、決定した表示順でディスクマークが表示ユニット１２６に表示されるように、表示用データを生成する（Ｓ１０３）。前記ディスクマークは、例えば、ディスク管理テーブル１０４にてトレイ番号に対応付けて管理されるＴＡＧ情報における曲名、アーティスト名、ジャケット写真の画像に基づいて構成される。そして、各ディスクに対応したディスクマークを前記表示順序にて表示させるための表示用データが生成される。なお、制御部１０２は、ディスク管理テーブル１０４の再生トレイを参照し、再生中のディスク２００に対応するディスクマークが強調されるように表示用データを生成してもよい。生成された表示用データは、表示ユニット１２６へ送られる。そして、表示ユニット１２６は、表示用データに基づいてディスクチェンジャ１０６内に収容される各ディスクに対応したディスクマークを表示する（Ｓ１０４）。
【００４７】
図４乃至図７は、ディスク管理テーブル１０４が図２に示す内容である場合の表示ユニット１２６における表示例を示す。各例では、トレイ番号２のトレイ１０８−２に収容されたディスク２００−１に対応したディスクマーク３０１（ディスク２００−１に記録された楽曲の曲名Ａ及びアーティスト名Ｂ、ディスク２００−１のジャケット写真Ｄの画像により構成される）、トレイ番号３のトレイ１０８−３に収容されたディスク２００−２に対応したディスクマーク３０２（ディスク２００−２に記録された楽曲の曲名Ｅ及びアーティスト名Ｆ、ディスク２００−２のジャケット写真Ｈの画像により構成される）、トレイ番号６のトレイ１０８−６に収容されたディスク２００−３に対応したディスクマーク３０３（ディスク２００−３に記録された楽曲の曲名Ｉ及びアーティスト名Ｊ、ディスク２００−３のジャケット写真Ｌの画像により構成される）が表示されている。
【００４８】
但し、図４乃至図６の表示は、表示順が異なっている。図４は、表示順がロード日の新しい順となっている場合の例である。すなわち、図４に示す表示例では、トレイ番号２のトレイ１０８−２に収容されたディスク２００−１（ロード日が２００４年７月３日）に対応するディスクマーク３０１、トレイ番号３のトレイ１０８−３に収容されたディスク２００−２（ロード日が２００４年６月１５日）に対応するディスクマーク３０２、トレイ番号６のトレイ１０８−６に収容されたディスク２００−３（ロード日が２００４年５月２３日）に対応するディスクマーク３０３が表示ユニット１２６の画面の左側から右側に順次並んで表示される。
【００４９】
図５は、表示順がロード日の古い順となっている場合の例である。すなわち、図５に示す表示例では、トレイ番号６のトレイ１０８−６に収容されたディスク２００−３（ロード日が２００４年５月２３日）に対応するディスクマーク３０３、トレイ番号３のトレイ１０８−３に収容されたディスク２００−２（ロード日が２００４年６月１５日）に対応するディスクマーク３０２、トレイ番号２のトレイ１０８−２に収容されたディスク２００−１（ロード日が２００４年７月３日）に対応するディスクマーク３０１が表示ユニット１２６の画面の左側から右側に順次並んで表示される。
【００５０】
図６は、表示順が再生回数の多い順となっている場合の例である。すなわち、図６に示す表示例では、トレイ番号３のトレイ１０８−３に収容されたディスク２００−２（再生回数が７回）に対応するディスクマーク３０２、トレイ番号６のトレイ１０８−６に収容されたディスク２００−３（再生回数が５回）に対応するディスクマーク３０３、トレイ番号２のトレイ１０８−２に収容されたディスク２００−１（再生回数が２回）に対応するディスクマーク３０１が表示ユニット１２６の画面の左側から右側に順次並んで表示される。
【００５１】
図４乃至図６に示すような表示が行われることにより、利用者は、ディスクチェンジャ１０６のトレイを意識することなく、ディスクチェンジャ１０６に収容されているディスク２００の枚数を表示ユニット１２６に表示されるディスクマークの個数から直接的に把握することができる。また、各ディスクマークが対応するディスクに記録された楽曲の曲名、アーティスト名、ジャケット写真の画像から構成されているので、利用者は、更に、ディスクチェンジャ１０６に収容されている各ディスクの内容も直接的に把握することができるようになる。
【００５２】
また、図７は、マーク３０１乃至３０３の表示に加えて、空いているトレイ（空きトレイ）１０８に対応するマーク３０４、３０５及び３０６が表示されている。制御部１０２は、図２に示すディスク管理テーブル１０４に基づいて、空きトレイ１０８が３つあることを認識し、これら３つの空きトレイ１０８に対応するマーク画像としての表示用データを生成する。このように空きトレイ１０８に対応するマーク３０４等が表示されることにより、利用者は、あと何枚のディスク２００をディスクチェンジャ１０６に収容可能であるかを容易に認識することが可能となる。
【００５３】
なお、前述したように表示ユニット１２６に各空トレイに対応したマーク３０４、３０５、３０６を表示させる代わりに、空トレイが存在することを表す単一のマークとその空トレイの数とを表示させるようにしてもよい。
【００５４】
次に、ディスク管理テーブル１０４の内容に応じたディスク２００の再生処理の詳細を説明する。図８は、ディスク管理テーブル１０４の内容に応じたディスク２００の再生処理を示すフローチャートである。
【００５５】
利用者は、ディスクチェンジャ１０６内のディスク２００のいずれかを再生させたい場合、表示ユニット１２６に表示された各ディスクマーク（図４乃至図７参照）から再生させたいディスクに対応したディスクマークを指定するための操作を含む再生要求に係る所定操作を操作部１２４にて行なう。制御部１０２は、操作部１２４からの操作信号を受けて、利用者の要求を判別し、その利用者の要求が再生要求であるか否かを判定する（Ｓ２０１）。
【００５６】
利用者の要求が再生要求である場合（Ｓ２０１でＹＥＳ）には、制御部１０２は、保持するディスク管理テーブル１０４の内容を確認する（Ｓ２０２）。次に、制御部１０２は、ディスク管理テーブル１０４に基づいて、再生要求により指定されたディスクマークに対応するディスク２００が収容されているトレイ１０８を特定し、その特定したトレイ１０８に収容されているディスク２００を再生する制御を行う（Ｓ２０３）。
【００５７】
例えば、図４におけるディスクマーク３０１を指定するための操作がなされた場合を考える。この場合、制御部１０２は、図２に示すディスク管理テーブル１０４の内容に基づいて、ディスクマーク３０１の基となるディスク２００−１のディスク情報（ＴＯＣ情報、ＣＤＤＢ情報、ＴＡＣ情報）に対応付けられたトレイ番号２のトレイ１０８−２を特定する。そして、制御部１０２は、ディスクチェンジャ制御部１１０に対して、特定したトレイ１０８−２に光ピックアップ１１２を移動させる指示を出すとともに、光ピックアップ制御部１１４へ再生の指示を出す。ディスクチェンジャ制御部１１０は、制御部１０２の指示に従って、トレイ１０８−２に光ピックアップ１１２を移動させ、光ピックアップ制御部１１４は、制御部１０２の指示に応じて光ピックアップ１１２を制御する。その結果、光ピックアップ１１２は、トレイ１０８−２に収容されたディスク２００−１に記録された情報を読み出す。その後は、上述したデジタル信号処理部１１６、オーディオ信号処理部１１８及びオーディオ回路１２０の処理によって、オーディオ音がスピーカ１２２から出力される。
【００５８】
次に、制御部１０２は、ディスク管理テーブル１０４を更新する（Ｓ２０４）。具体的には、制御部１０２は、ディスク管理テーブル１０４において、再生対象のディスク２００が収容されているトレイ１０８のトレイ番号に対応付けて再生中（再生トレイ）であることを示すフラグを立てるとともに、再生回数に１を加える。
【００５９】
次に、ディスク２００の排出処理の詳細を説明する。図９は、ディスク２００の排出処理を示すフローチャートである。
【００６０】
制御部１０２は、操作部１２４からの操作信号を受けると、利用者の要求を判別し、その利用者の要求がディスク２００のイジェクト（排出）要求であるか否かを判定する（Ｓ３０１）。例えば、操作部１２４のイジェクトボタン（図示せず）が押下され、更に、表示ユニット１２６に表示された各ディスクマーク（図４乃至図７参照）から排出すべきディスクに対応したディスクマークを指定するための操作がなされた場合、制御部１０２は、利用者の要求がイジェクト要求であると判定する。利用者の要求がイジェクト要求である場合、制御部１０２は、保持するディスク管理テーブル１０４の内容を確認する（Ｓ３０２）。
【００６１】
次に、制御部１０２は、イジェクト要求により指定されたディスクマークに対応するディスク２００が収容されているトレイ１０８を特定し、その特定したトレイ１０８をディスク２００が取り出されるべきトレイ（イジェクトトレイ）１０８として決定する（Ｓ３０３）。例えば、図４におけるディスクマーク３０１を指定するための操作がなされた場合を考える。この場合、制御部１０２は、図２に示すディスク管理テーブル１０４の内容に基づいて、ディスクマーク３０１の基となるディスク２００−１のディスク情報（ＴＯＣ情報、ＣＤＤＢ情報、ＴＡＣ情報）に対応付けられたトレイ番号２のトレイ１０８−２をイジェクトトレイ１０８として決定する。
【００６２】
次に、制御部１０２は、イジェクトトレイ１０８を挿入口１０７へ移動させる制御を行う（Ｓ３０４）。具体的には、制御部１０２は、ディスクチェンジャ制御部１１０に対して、決定したイジェクトトレイ１０８を挿入口１０７へ移動させる指示を出す。ディスクチェンジャ制御部１１０は、制御部１０２の指示に従って、イジェクトトレイ１０８を挿入口１０７へ移動させる。その後、制御部１０２は、ディスクチェンジャ制御部１１０に対して、イジェクトトレイ１０８からディスク２００を取り出す指示を出す。ディスクチェンジャ制御部１１０は、この指示に従って、イジェクトトレイ１０８に収容されているディスク２００−１を取り出して、挿入口１０７から排出する（Ｓ３０５）。
【００６３】
次に、制御部１０２は、ディスク管理テーブル１０４を更新する（Ｓ３０６）。具体的には、制御部１０２は、ディスク管理テーブル１０４において、イジェクトトレイ１０８のトレイ番号に対応付けられているディスク情報（ＴＯＣ情報、ＣＤＤＢ情報、ＴＡＣ情報）、ロード日及び再生回数の各情報を削除する。
【００６４】
次に、ディスク２００の収容処理の詳細を説明する。図１０は、ディスク２００の収容時の処理を示すフローチャートである。
【００６５】
制御部１０２は、操作部１２４からの操作信号を受けると、利用者の要求を判別し、その利用者の要求がディスク２００のロード（収容）要求であるか否かを判定する（Ｓ４０１）。例えば、利用者によって操作部１２４のロードボタンが押下された場合、制御部１０２は、利用者の要求がロード要求であると判定する。利用者の要求がロード指示である場合、制御部１０２は、保持するディスク管理テーブル１０４の内容を確認する（Ｓ４０２）。
【００６６】
次に、制御部１０２は、ディスク管理テーブル１０４においてディスク情報（ＴＯＣ情報、ＣＤＤＢ情報、ＴＡＣ情報）に対応付けられたトレイ番号以外のトレイ番号に対応付けられたトレイ番号の有無を判定することにより、ディスクチェンジャ１０６内のトレイ１０８に空いているもの（空トレイ）があるか否かを判定する（Ｓ４０２）。例えば、ディスク管理テーブル１０４が図２に示す内容である場合には、制御部１０２は、トレイ番号１のトレイ１０８−１、トレイ番号４に対応するトレイ１０８−４及びトレイ番号５に対応するトレイ１０８−５が空トレイであると判定する。
【００６７】
空トレイ１０８がある場合、制御部１０２は、空トレイ１０８のうち、ディスクチェンジャ１０６の挿入口１０７に最も近い空トレイ１０８を、新たなディスク２００が収容されるべきトレイ（ロードトレイ）１０８として決定する（Ｓ４０３）。例えば、図１において、トレイ１０８−１、トレイ１０８−４及びトレイ１０８−５が空いているが、これらのうちで挿入口１０７に最も近いのはトレイ１０８−１である。従って、制御部１０２は、トレイ１０８−１をロードトレイ１０８として決定する。なお、空トレイ１０８が１つだけの場合には、挿入口１０７との距離に関わらず、その空トレイ１０８がロードトレイ１０８として決定される。
【００６８】
次に、制御部１０２は、前述したように決定されたロードトレイ１０８を挿入口１０７へ移動させる制御を行う（Ｓ４０５）。具体的には、制御部１０２は、ディスクチェンジャ制御部１１０に対して、決定したロードトレイ１０８を挿入口１０７へ移動させる指示を出す。ディスクチェンジャ制御部１１０は、制御部１０２の指示に従って、そのロードトレイ１０８を挿入口１０７へ移動させる。その後、制御部１０２は、ディスクチェンジャ制御部１１０に対して、ロードトレイ１０８にディスク２００を収容する指示を出し、ディスクチェンジャ制御部１１０は、この指示に従って、挿入口１０７から挿入されるディスク２００をロードトレイ１０８に収容させる（Ｓ４０９）。
【００６９】
次に、制御部１０２は、ディスク管理テーブル１０４を更新する（Ｓ４１０）。具体的には、制御部１０２は、光ピックアップ制御部１１４へロードトレイ１０８に収容されたディスク２００からの情報の読み出しの指示を出す。光ピックアップ制御部１１４は、制御部１０２の指示に応じて光ピックアップ１１２を制御し、当該光ピックアップ１１２は、ロードトレイ１０８に収容されたディスク２００に記録された情報を読み出す。デジタル信号処理部１１６は、光ピックアップ１１２によってディスク２００から読み出された情報のうち、ＴＯＣ情報等の属性データを制御部１０２へ出力する。制御部１０２は、入力された属性データのＴＯＣ情報を、ディスク管理テーブル１０４におけるロードトレイ１０８のトレイ番号に対応付けて設定する。更に、制御部１０２は、入力された属性データのＴＯＣ情報をキーとしてＣＤＤＢを検索し、当該ＴＯＣ情報に対応するＣＤＤＢ識別情報及びＴＡＧ情報を抽出し、ディスク管理テーブル１０４におけるロードトレイ１０８のトレイ番号に対応付けて設定する。また、制御部１０２は、時計の日付情報を、ディスク管理テーブル１０４におけるロードトレイ１０８のトレイ番号に対応付けて設定する。
【００７０】
一方、Ｓ４０３において、空トレイ１０８がないと判定された場合、制御部１０２は、ディスクチェンジャ１０６内の既にディスクが収容されたトレイ１０８のいずれかをロードトレイ１０８として決定する（Ｓ４０６）。具体的には、制御部１０２は、利用者による操作部１２４の操作に応じた操作信号を受けて、その利用者による操作が表示ユニット１２６に表示された各ディスク２００に対応するディスクマークのいずれかを指定するものである場合には、ディスク管理テーブル１０４に基づいて、指定されたディスクマークに対応するディスク２００が収容されているトレイ１０８をロードトレイ１０８として決定することができる。あるいは、制御部１０２は、ディスク管理テーブル１０４のロード日を参照して、ロード日の最も古いディスク２００又はロード日の最も新しいディスク２００が収容されているトレイ１０８をロードトレイ１０８として決定することができる。または、制御部１０２は、ディスク管理テーブル１０４の再生回数を参照して、再生回数の最も少ないディスク２００が収容されているトレイ１０８をロードトレイ１０８として決定する。
【００７１】
次に、制御部１０２は、前述したように決定されたロードトレイ１０８を挿入口１０７へ移動させる制御を行う（Ｓ４０７）。具体的な処理は、Ｓ４０５での処理と同様である。更に、制御部１０２は、ロードトレイ１０８に既に収容されているディスク２００を取り出して排出する制御を行う（Ｓ４０８）。具体的には、制御部１０２は、ディスクチェンジャ制御部１１０に対して、ロードトレイ１０８に収容されているディスク２００を取り出して排出する指示を出す。ディスクチェンジャ制御部１１０は、制御部１０２の指示に従って、収容先トレイ１０８に収容されているディスク２００を取り出し、挿入口１０７から排出する。
【００７２】
その後、制御部１０２は、ディスクチェンジャ制御部１１０に対して、ロードトレイ１０８にディスク２００を収容する指示を出し、ディスクチェンジャ制御部１１０は、この指示に従って、挿入口１０７から挿入されるディスク２００をロードトレイ１０８に収容させる（Ｓ４０９）。更に、制御部１０２は、ディスク管理テーブル１０４を更新する（Ｓ４１０）。具体的な動作は、上述した動作と同様である。
【００７３】
Ｓ４１０におけるディスク管理テーブル１０４の更新後、ディスク管理テーブル１０４の内容に応じた表示処理が行われる場合には、図３のフローチャートに示す処理が行われ、ディスクの再生処理が行われる場合には、図８の処理が行われる。
【００７４】
このように、本実施形態に係るディスク再生装置１００では、ディスク管理テーブル１０４にて管理される情報に基づいてディスクチェンジャ１０６に収容される各ディスクに対応したディスクマークが表示ユニット１２６表示され、その表示されるディスクマークを指定する操作がなされると、その指定されたディスクマークに対応したディスクに対する処理（再生処理、排出処理）がなされるようになる。従って、利用者は、ディスクチェンジャ１０６のトレイ１０８を意識することなく、ディスクを直接指定する感覚で、再生すべきディスクや排出すべきディスクの指定を行なうことができるようになる。また、各ディスクマークが、利用者の要求に応じた順、あるいは、ディスク管理テーブル１０４の情報に基づいて、利用者が必要とする可能性が高いと考えられる順（ロード時の古い順又は新しい順、再生回数の多い順）に並べて表示ユニット１２６に表示されるので、利用者にとって、ディスクチェンジャ１０６に収容される各ディスク対応したディスクマークの指定し易いものとなる。
【００７５】
更に、ディスク再生装置１００は、ディスクチェンジャ１０６へディスク２００が収容される際に、挿入口１０７に最も近い空きトレイ１０８、換言すれば、挿入口１０７まで移動する時間が最も短い空きトレイ１０８に、ディスク２００を収容する。このため、ロード（収容）処理にかかる時間を短縮させることができる。
【００７６】
また、ディスク再生装置１００は、ディスクチェンジャ１０６へディスク２００が挿入される際に、空きトレイ１０８がない場合には、利用者の要求に応じたディスク２００、あるいは、ディスク管理テーブル１０４の内容に基づく利用者が必要とする可能性が低いと考えられるディスク２００（挿入時の最も古い又は最も新しいディスク２００、再生回数が最も少ないディスク２００）をトレイ１０８から取り出して排出し、新たなディスク２００を挿入する。このため、利用者のディスクの利用態様にそくしたディスク交換が可能となる。
【００７７】
ところで、トレイ１０８からのディスク２００の取り出しとトレイ１０８への新たなディスク２００の収容とが連続して行われるような場合、利用者が交換の対象となったディスク２００を容易に認識することができるようにすべく、表示ユニット１２６において、取り出されるディスク２００に対応するディスクマークと、新たに収容されるディスク２００に対応するディスクマークとが同一の表示位置で入れ替わるようにすることが望まれる。
【００７８】
このような場合、制御部１０２は、利用者による操作部１２４の所定の操作に応じて、図９に示すディスク２００の排出処理と図１０に示すディスク２００の挿入処理とを連続して行い、更に、図３に示す表示処理を行う。この際、制御部１０２は、図９のＳ３０６において、ディスク管理テーブル１０４から削除されたＴＯＣ情報等に対応するディスク２００のディスクマークの表示ユニット１２６における表示位置（表示順位）を記憶しておく。そして、制御部１０２は、図１０のＳ４１０において、ディスク管理テーブル１０４に追加されたＴＯＣ情報等を記憶しておく。更に、制御部１０２は、図３のＳ１０２において、ディスク管理テーブル１０４に追加されたＴＯＣ情報等に対応するディスク２００のディスクマークの表示順位を、ディスク管理テーブル１０４から削除されたＴＯＣ情報等に対応するディスク２００を表すマークの表示順位と同一にする。
【００７９】
例えば、図１１に示すディスクマーク３０１に対応するディスク２００が排出され、新たなディスク２００が挿入される場合、図１２に示すように、ディスクマーク３０１が表示されていた位置に、新たに挿入されるディスク２００に対応するディスクマーク３１１が表示されることになる。
【００８０】
なお、上述した実施形態では、ＣＤプレイヤとしてのディスク再生装置１００について説明したが、ＤＶＤ等のＣＤ以外のディスクを再生するディスク再生装置についても、同様に本発明を適用することができる。
【産業上の利用可能性】
【００８１】
以上、説明したように、本発明に係るディスク再生装置は、ディスクチェンジャ内のディスク枚数の確認や、ディスク選択の操作を直感的に行い得るという効果を有し、ディスクチェンジャを備えたディスク再生装置として有用である。
【図面の簡単な説明】
【００８２】
【図１】ディスク再生装置のディスク再生装置のブロック図である。
【図２】ディスク管理テーブルの一例を示す図である。
【図３】ディスク管理テーブルの内容に応じた表示処理を示すフローチャートである。
【図４】表示ユニットにおける第１の表示例を示す図である
【図５】表示ユニットにおける第２の表示例を示す図である
【図６】表示ユニットにおける第３の表示例を示す図である
【図７】表示ユニットにおける第４の表示例を示す図である
【図８】ディスクの再生処理を示すフローチャートである。
【図９】ディスクの排出処理を示すフローチャートである。
【図１０】ディスクの挿入処理を示すフローチャートである。
【図１１】表示ユニットにおける第５の表示例を示す図である
【図１２】表示ユニットにおける第６の表示例を示す図である
【符号の説明】
【００８３】
１００  ディスク再生装置
１０２  制御部
１０４  ディスク管理テーブル
１０６  ディスクチェンジャ
１０７  挿入口
１０８−１、１０８−２、１０８−３、１０８−４、１０８−５、１０８−６  トレイ  １１０  ディスクチェンジャ制御部
１１２  光ピックアップ
１１４  光ピックアップ制御部
１１６  デジタル信号処理部
１１８  オーディオ信号処理部
１２０  オーディオ回路
１２２  スピーカ
１２４  操作部
１２６  表示部
２００−１、２００−２、２００−３  ディスク
【図１】
2006085874.tif 000003
【図２】
2006085874.tif 000004
【図３】
2006085874.tif 000005
【図４】
2006085874.tif 000006
【図５】
2006085874.tif 000007
【図６】
2006085874.tif 000008
【図７】
2006085874.tif 000009
【図８】
2006085874.tif 000010
【図９】
2006085874.tif 000011
【図１０】
2006085874.tif 000012
【図１１】
2006085874.tif 000013
【図１２】
2006085874.tif 000014